(57)【要約】【課題】  押出形材を用いて外構用に自立設置し得るように相互の連結強度を確保し優れた強度を有する門袖，塀等の押出形材製のパネルを供給する。【解決手段】  左右連結面の片側にそれぞれ前後一対の連結支軸２を設置した基準用のパネル構成要素１ａ，左右連結面の片側に前後一対の連結軸受３と連結支軸２を設置した連結用のパネル構成要素１ｂ，左右連結面の片側に前後一対の連結軸受３を設置した端部用のパネル構成要素１ｃを，その各連結支軸２と連結軸受３を長手方向にスライド嵌合することによって各連結面で前後に２軸連結してパネル構成要素１を幅方向に平面直線乃至湾曲配置し且つ各連結支軸２に形成したタッピングホール４に横枠９からそれぞれタッピングビス１１を螺入してその長手方向の固定を行なってパネルＡとする。前後２軸の連結とタッピングビス１１の固定によって優れた強度を確保することができる。【選択図】        図７
2006063543.tif 000002
【特許請求の範囲】
【請求項１】
押出成形することによって押出形材製とした多数のパネル構成要素における左右連結面前後２箇所に配置した連結支軸と連結軸受とを相互にスライド嵌合することによって隣接するパネル構成要素を各連結面前後２箇所で２軸連結して幅方向にパネル面を形成してなることを特徴とする押出形材製自立設置用パネル。
【請求項２】
上記パネル構成要素として，左右連結面双方の前後２箇所に連結支軸又は連結軸受を配置した基準用及び左右連結面一方の前後２箇所に連結支軸を，他方の前後２箇所に連結軸受をそれぞれ配置した連結用のものを用いてなることを特徴とする請求項１に記載の押出形材製自立設置用パネル。
【請求項３】
上記基準用及び連結用のパネル構成要素とともに，左右一方を連結面とし他方を端部面として上記連結面の前後２箇所に連結軸受又は連結支軸を配置した端部用のパネル構成要素を追加的に用いてなることを特徴とする請求項２に記載の押出形材製自立設置用パネル。
【請求項４】
上記パネル構成要素の連結支軸がタッピングホールを備え，該タッピングホールに対してパネル構成要素の長手方向端部に配置した横枠からタッピングビスを螺入して長手方向抜止め措置としてなることを特長とする請求項１，２又は３に記載の押出形材製自立設置用パネル。
【請求項５】
上記パネル構成要素を，その前後面をリブ乃至溝によって凹凸面のものとしてなることを特徴とする請求項１，２，３又は４に記載の押出形材製自立設置用パネル。
【請求項６】
上記パネル構成要素を，上記凹凸面としたものとともに又はこれに代えて平坦面としたものとしてなることを特長とする請求項５に記載の押出形材製自立設置用パネル。
【請求項７】
上記パネル構成要素を，その左右連結面を相互に平行とすることによって該パネル構成要素を幅方向平面直線に配置してなることを特徴とする請求項１，２，３，４，５又は６に記載の押出形材製自立設置用パネル。
【請求項８】
上記パネル構成要素を，その左右連結面を相互に前後同一方向に向けて傾斜することによって該パネル構成要素を幅方向平面湾曲に配置してなることを特徴とする請求項１，２，３，４，５又は６に記載の押出形材製自立設置用パネル。
【請求項９】
上記パネル構成要素を，その左右連結面を相互に平行とし且つ前後一方に向けて傾斜したものとし且つこれらの間に連結用のパネル構成要素又は連結部材を介設することによってパネル構成要素を幅方向平面直線及び湾曲に配置してなることを特徴とする請求項１，２，３，４，５又は６に記載の押出形材製自立設置用パネル。
【請求項１０】
上記パネル構成要素を，幅方向両端で下方に延長して自立設置用の埋込脚としてなることを特徴とする請求項１，２，３，４，５，６，７，８又は９に記載の押出形材製自立設置用パネル。
【請求項１１】
上記パネル構成要素の全部又は一部を，幅方向に向けて長さを異長とすることによって幅方向上端を傾斜し又は上端に段差を形成してなることを特徴とする請求項１，２，３，４，５，６，７，８，９又は１０に記載の押出形材製自立設置用パネル。
【請求項１２】
上記パネル構成要素の一部を，上下に複数配置しその上下間に形成した空間にスリット形成枠を配置固定してなることを特長とする請求項1，２，３，４，５，６，７，８，９，１０又は１１に記載の押出形材製自立設置用パネル。
【請求項１３】
上記パネル構成要素間に，郵便受，インタホン等の機能ユニットを介設配置してなることを特徴とする請求項1，２，３，４，５，６，７，８，９，１０，１１又は１２に記載の押出形材製自立設置用パネル。
【請求項１４】
押出成形することによって左右連結面前後２箇所に配置した連結支軸と連結軸受とを相互にスライド嵌合して隣接同士を各連結面前後２箇所で２軸連結することによって幅方向にパネル面を形成自在としてなることを特徴とする押出形材製自立設置用のパネル構成要素。
【請求項１５】
上記パネル構成要素が，左右連結面双方の前後２箇所に連結支軸又は連結軸受の一方を配置した基準用と，左右連結面一方の前後２箇所に連結支軸を，他方の前後２箇所に連結軸受をそれぞれ配置した連結用と，左右一方を連結面とし他方を端部面として上記連結面の前後２箇所に連結軸受又は連結支軸の一方を配置した端部用との少なくとも３種類からなることを特徴とする請求項１４に記載の押出形材製自立設置用のパネル構成要素。
【発明の詳細な説明】
【技術分野】
【０００１】
本発明は，押出形材を用いて構成し，例えば門袖，塀等のように屋外に自立するように設置使用するに適した押出形材製自立設置用パネル及びそのパネル構成要素に関する。
【背景技術】
【０００２】
この種パネルとして所謂形材門扉や形材ドアが知られており，これによれば，例えば上下左右の枠を枠組みした矩形外枠内に比較的幅広の押出形材製のパネル構成要素を配置し，パネル構成要素同士を，例えば前後端に突出配置した係合突条を相互に係合し，矩形外枠の枠組みによって一体化することによってその連結固定を行った工場生産のものとされる。
【発明の開示】
【発明が解決しようとする課題】
【０００３】
この場合矩形外枠の枠組みが存在することによってパネルとしての形態を維持して耐久性を持つものとなし得るが，矩形外枠が形態維持を行なうために上下左右の枠が比較的幅広のものとなるとともに工場生産のものとされるために大きさにも制約が生じる結果，デザインが固定的なものになり易く，また，デザインの自由性確保やデザイン多様化のために矩形外枠を用いないようにしたり，矩形外枠の上下左右の枠の幅を狭くしたりすると，パネル構成要素同士の連結強度が充分に確保できず，外力を受けやすい上記門袖，塀等のように屋外に自立するように設置使用するものとして強度が不足し不適当なものとなり易い。
【０００４】
本発明はかかる事情に鑑みてなされたもので，その解決課題とするところは，第１に，簡易且つ確実に連結を行って優れた連結強度を確保し得るようにしてデザインの自由性確保やデザイン多様をなし得るようにした押出形材製自立設置用パネルを提供するにあり，第２に，これに好適に用い得るようにしたパネル構成要素を提供するにある。
【課題を解決するための手段】
【０００５】
上記課題に添って，本発明は，押出形材製多数のパネル構成要素を用いるとともにその左右連結面を前後２箇所に配置した連結支軸と連結軸受の相互のスライド嵌合によって各パネル構成要素を前後２箇所の嵌合軸支によって２軸連結して幅方向にパネル構成要素を並列配置してパネル面を形成し，各パネル構成要素の２軸連結によって相互の連結強度を確保して屋外で自立するように設置使用するパネルとして優れた強度を確保し得るようにしたものであって，即ち請求項１に記載の発明を，押出成形することによって押出形材製とした多数のパネル構成要素における左右連結面前後２箇所に配置した連結支軸と連結軸受とを相互にスライド嵌合することによって隣接するパネル構成要素を各連結面前後２箇所で２軸連結して幅方向にパネル面を形成してなることを特徴とする押出形材製自立設置用パネルとしたものである。
【０００６】
請求項２に記載の発明は，上記に加えて，左右連結面双方の前後２箇所に連結支軸又は連結軸受を有する基準用のパネル構成要素を配置する一方，左右連結面のそれぞれに各前後２箇所の連結支軸又は連結軸受を配置した連結用のパネル構成要素を配置することによって，基準用のパネル構成要素の幅方向双方に連結用のパネル構成要素を反転して共通使用して，左右両端に位置する連結用の連結面が共通に連結支軸乃至連結軸受を有する形態にして端部措置を共通化し得るものとし，またパネル構成要素の各左右連結面に連結支軸と連結軸受とが存在するのを防止して２軸連結に際してそれぞれを容易に識別し得るものとするように，これを，上記パネル構成要素として，左右連結面双方の前後２箇所に連結支軸又は連結軸受を配置した基準用及び左右連結面一方の前後２箇所に連結支軸を，他方の前後２箇所に連結軸受をそれぞれ配置した連結用のものを用いてなることを特徴とする請求項１に記載の押出形材製自立設置用パネルとしたものである。
【０００７】
請求項３に記載の発明は，同じく上記に加えて，パネル構成要素に更に端部用のものを追加的に備えることによって端部措置を可及的容易になし得るものとするように，これを，上記基準用及び連結用のパネル構成要素とともに，左右一方を連結面とし他方を端部面として上記連結面の前後２箇所に連結軸受又は連結支軸を配置した端部用のパネル構成要素を追加的に用いてなることを特徴とする請求項２に記載の押出形材製自立設置用パネルとしたものである。
【０００８】
請求項４に記載の発明は，同じく上記に加えて，パネル構成要素の連結支軸にタッピングホールを備えることによって長手方向端部の横枠からタッピングビスで各２軸連結部を固定し長手方向にパネル構成要素が揺動する可能性を解消して更に高度な連結強度を確保し得るものとするように，これを，上記パネル構成要素の連結支軸がタッピングホールを備え，該タッピングホールに対してパネル構成要素の長手方向端部に配置した横枠からタッピングビスを螺入して長手方向抜止め措置としてなることを特長とする請求項１，２又は３に記載の押出形材製自立設置用パネルとしたものである。
【０００９】
請求項５に記載の発明は，同じく上記に加えて，パネル構成要素を長手方向にリブ又は溝の凹凸を形成したものとすることによってパネル構成要素にアクセントを付し，例えば玄関周りに設置するパネルとしてそのデザインを適当なものとし得るように，これを，上記パネル構成要素を，その前後面をリブ乃至溝によって凹凸面のものとしてなることを特徴とする請求項１，２，３又は４に記載の押出形材製自立設置用パネルとしたものである。
【００１０】
請求項６に記載の発明は，同じく上記に加えて，凹凸面とともに又はこれに代えて平坦面のパネル構成要素を備えることによって，上記凹凸デザインに平坦デザインの組合せを可能とし，また例えば塀として設置するパネルとしてそのデザインを適当なものとし得るように，これを，上記パネル構成要素を，上記凹凸面としたものとともに又はこれに代えて平坦面としたものとしてなることを特長とする請求項５に記載の押出形材製自立設置用パネルとしたものである。
【００１１】
請求項７に記載の発明は，同じく上記に加えて，幅方向にパネル構成要素を平面直線に配置したものとして，例えば境界上に設置するに適したものとするように，これを，上記パネル構成要素を，その左右連結面を相互に平行とすることによって該パネル構成要素を幅方向平面直線に配置してなることを特徴とする請求項１，２，３，４，５又は６に記載の押出形材製自立設置用パネルとしたものである。
【００１２】
請求項８に記載の発明は，同じく上記に加えて，幅方向にパネル構成要素を平面湾曲に配置したものとして奥行方向に湾曲面をなすものとしてデザインの自由性を確保したものとし得るように，これを，上記パネル構成要素を，その左右連結面を相互に前後同一方向に向けて傾斜することによって該パネル構成要素を幅方向平面湾曲に配置してなることを特徴とする請求項１，２，３，４，５又は６に記載の押出形材製自立設置用パネルとしたものである。
【００１３】
請求項９に記載の発明は，同じく上記に加えて，幅方向にパネル構成要素を平面直線と平面湾曲の組合せとして，更にデザインの自由性を向上したものとするように，これを，上記パネル構成要素を，その左右連結面を相互に平行とし且つ前後一方に向けて傾斜したものとし且つこれらの間に連結用のパネル構成要素又は連結部材を介設することによってパネル構成要素を幅方向平面直線及び湾曲に配置してなることを特徴とする請求項１，２，３，４，５又は６に記載の押出形材製自立設置用パネルとしたものである。
【００１４】
請求項１０に記載の発明は，同じく上記に加えて，幅方向端部に自立設置用の埋込脚を配置することによって自立の設置工事に際して該埋込脚を埋込設置してその工事の容易化をなし得るものとするように，これを，上記パネル構成要素を，幅方向両端で下方に延長して自立設置用の埋込脚としてなることを特徴とする請求項１，２，３，４，５，６，７，８又は９に記載の押出形材製自立設置用パネルとしたものである。
【００１５】
請求項１１に記載の発明は，例えばパネルの上端の全体又はその部分を傾斜面とし，また段差面とすることによってデザインの自由性を向上したものとするように，これを，上記パネル構成要素の全部又は一部を，幅方向に向けて長さを異長とすることによって幅方向上端を傾斜し又は上端に段差を形成してなることを特徴とする請求項１，２，３，４，５，６，７，８，９又は１０に記載の押出形材製自立設置用パネルとしたものである。
【００１６】
請求項１２に記載の発明は，同じく上記に加えて，パネルにスリットを形成したデザインとすることによってパネルとしての価値を向上し得るものとするように，これを，上記パネル構成要素の一部を，上下に複数配置しその上下間に形成した空間にスリット形成枠を配置固定してなることを特長とする請求項1，２，３，４，５，６，７，８，９，１０又は１１に記載の押出形材製自立設置用パネルとしたものである。
【００１７】
請求項１３に記載の発明は，同じく上記に加えて，パネルに外部との接触機能を付与したものとし得るように，これを，上記パネル構成要素間に，郵便受，インタホン等の機能ユニットを介設配置してなることを特徴とする請求項1，２，３，４，５，６，７，８，９，１０，１１又は１２に記載の押出形材製自立設置用パネルとしたものである。
【００１８】
請求項１４に記載の発明は，上記第２の課題に添って，上記押出形材製自立設置用パネルに使用するに好適なパネル構成要素を提供するように，これを，押出成形することによって左右連結面前後２箇所に配置した連結支軸と連結軸受とを相互にスライド嵌合して隣接同士を各連結面前後２箇所で２軸連結することによって幅方向にパネル面を形成自在としてなることを特徴とする押出形材製自立設置用のパネル構成要素としたものである。
【００１９】
請求項１５に記載の発明は，上記に加えて，パネル形成に際して，基準用のパネル構成要素の幅方向双方に連結用のパネル構成要素を反転して共通使用し得るようにし，端部措置を可及的容易になし得るようにし，またパネル構成要素の各左右連結面に連結支軸と連結軸受とが存在するのを防止して２軸連結に際してそれぞれを容易に識別し得るものとするように，これを，上記パネル構成要素が，左右連結面双方の前後２箇所に連結支軸又は連結軸受の一方を配置した基準用と，左右連結面一方の前後２箇所に連結支軸を，他方の前後２箇所に連結軸受をそれぞれ配置した連結用と，左右一方を連結面とし他方を端部面として上記連結面の前後２箇所に連結軸受又は連結支軸の一方を配置した端部用との少なくとも３種類からなることを特徴とする請求項１４に記載の押出形材製自立設置用のパネル構成要素としたものである。
【００２０】
本発明はこれらをそれぞれ発明の要旨として上記課題解決の手段としたものである。
【発明の効果】
【００２１】
本発明は以上のとおりに構成したから，請求項１に記載の発明は，連結支軸と連結軸受をスライド嵌合することによって簡易且つ確実に連結をなし得るとともに各パネル構成要素の２軸連結によって優れた連結強度を確保し得るようにし，デザインの自由性確保やデザイン多様をなし得るようにした押出形材製自立設置用パネルを提供することができる。
【００２２】
請求項２に記載の発明は，上記に加えて，基準用のパネル構成要素の幅方向双方に連結用のパネル構成要素を反転して共通使用して，左右両端に位置する連結用の連結面が共通に連結支軸乃至連結軸受を有する形態にして端部措置を共通化し得るものとし，またパネル構成要素の各左右連結面に連結支軸と連結軸受とが存在するのを防止して２軸連結に際してそれぞれを容易に識別し得るようにしたものとすることができる。
【００２３】
請求項３に記載の発明は，同じく上記に加えて，パネル構成要素に更に端部用のものを追加的に備えることによって端部措置を可及的容易になし得るものとすることができる。
【００２４】
請求項４に記載の発明は，同じく上記に加えて，パネル構成要素の連結支軸にタッピングホールを備えることによって長手方向端部の横枠からタッピングビスで各２軸連結部を固定し長手方向にパネル構成要素が揺動する可能性を解消して更に高度な連結強度を確保し得るものとすることができる。
【００２５】
請求項５に記載の発明は，同じく上記に加えて，パネル構成要素を長手方向にリブ又は溝の凹凸を形成したものとすることによってパネル構成要素にアクセントを付し，例えば玄関周りに設置するパネルとしてそのデザインを適当なものとすることができる。
【００２６】
請求項６に記載の発明は，同じく上記に加えて，凹凸面とともに又はこれに代えて平坦面のパネル構成要素を備えることによって，上記凹凸デザインに平坦デザインの組合せを可能とし，また例えば塀として設置するパネルとしてそのデザインを適当なものとすることができる。
【００２７】
請求項７に記載の発明は，同じく上記に加えて，幅方向にパネル構成要素を平面直線に配置したものとして，例えば境界上に設置するに適したものとすることができる。
【００２８】
請求項８に記載の発明は，同じく上記に加えて，幅方向にパネル構成要素を平面湾曲に配置したものとして奥行方向に湾曲面をなすものとしてデザインの自由性を確保したものとすることができる。
【００２９】
請求項９に記載の発明は，同じく上記に加えて，幅方向にパネル構成要素を平面直線と平面湾曲の組合せとして，更にデザインの自由性を向上したものとすることができる。
【００３０】
請求項１０に記載の発明は，同じく上記に加えて，幅方向端部に自立設置用の埋込脚を配置することによって自立の設置工事に際して該埋込脚を埋込設置してその工事の容易化をなし得るものとすることができる。
【００３１】
請求項１１に記載の発明は，例えばパネルの上端の全体又はその部分を傾斜面とし，また段差面とすることによってデザインの自由性を向上したものとすることができる。
【００３２】
請求項１２に記載の発明は，同じく上記に加えて，パネルにスリットを形成したデザインとすることによってパネルとしての価値を向上したものとすることができる。
【００３３】
請求項１３に記載の発明は，同じく上記に加えて，パネルに外部との接触機能を付与したものとしてその使い勝手を向上したものとすることができる。
【００３４】
請求項１４に記載の発明は，上記第２の課題に添って，上記押出形材製自立設置用パネルに使用するに好適なパネル構成要素を提供することができる。
【００３５】
請求項１５に記載の発明は，上記に加えて，パネル形成に際して，基準用のパネル構成要素の幅方向双方に連結用のパネル構成要素を反転して共通使用し得るようにし，端部措置を可及的容易になし得るようにし，またパネル構成要素の各左右連結面に連結支軸と連結軸受とが存在するのを防止して２軸連結に際してそれぞれを容易に識別し得るものとすることができる。
【発明を実施するための最良の形態】
【００３６】
以下図面の例に従って本発明を更に具体的に説明すれば，Ａは，例えばアルミの押出型材を用いて構成した押出形材製自立設置用パネルであり，該自立設置用パネルＡは，多数のパネル構成要素１を，その左右連結面前後２箇所に配置した連結支軸２と連結軸受３とを相互にスライド嵌合することによって隣接するパネル構成要素１を各連結面前後２箇所で２軸連結して幅方向にパネル面を形成したものとしてあり，このとき多数のパネル構成要素１は，これを押出成形することによって押出形材製とし，上記連結支軸２と連結軸受３は該押出形成によってパネル構成要素１と一体成形したものとしてある。
【００３７】
本例のパネルＡは，左右連結面双方の前後２箇所に連結支軸２又は連結軸受３を配置した基準用及び左右連結面一方の前後２箇所に連結支軸２を，他方の前後２箇所に連結軸受３をそれぞれ配置した連結用のものを用い，更に本例にあっては上記基準用及び連結用のパネル構成要素１ａ，１ｂとともに，左右連結面一方の前後２箇所に連結軸受２又は連結支軸３を配置した端部用のパネル構成要素１ｃを用いてあり，またこれらパネル構成要素１は，その左右連結面を相互に平行とすることによって該パネル構成要素１を幅方向平面直線に配置し，またその左右連結面を相互に前後同一方向に向けて傾斜することによって該パネル構成要素１を幅方向平面湾曲に配置し，更に必要に応じて，これらの間に連結用のパネル構成要素１又は連結部材を介設することによってパネル構成要素１を幅方向平面直線及び湾曲に配置し得るようにしてある。
【００３８】
即ち本例の基準用，連結用及び端部用のうち，基準用のパネル構成要素１ａは，これを複数種，例えば平行とした左右連結面の前後２箇所に各一対の連結支軸２を配置することによって平面直線の連結配置を行うためのものとし，また同一方向に同一角度をなすように傾斜した左右連結面の前後２箇所に同じく各一対の連結支軸２を配置することによって平面湾曲の連結配置を行うためのものとした，２軸連結のための基本断面形状を２種類としてその幅をそれぞれ単一幅としたものとしてある。
【００３９】
連結用のパネル構成要素１ｂは，同様に複数種，例えば同じく平行とした左右連結面一方の前後２箇所に連結支軸２を，他方の前後２箇所に連結軸受３をそれぞれ一対づつ配置することによって平面直線のパネル面を形成するためのものとし，また同一方向に同一角度をなすように傾斜した左右連結面一方の前後２箇所に同様に連結支軸２を，他方の前後２箇所に連結軸受３をそれぞれ一対づつ配置することによって平面湾曲のパネル面を形成するためのものとした，２軸連結のための基本断面形状を２種類としてその幅をそれぞれ広狭複数幅，本例にあっては広狭数種として，多数の幅を備えたものとしてある。
【００４０】
端部用パネル構成要素１ｃは，その一方の面を連結面とし他方を端部面として上記連結面の前後２箇所に連結軸受２又は連結支軸３，本例にあっては連結軸受３を配置したものとし，その余は上記連結用のパネル構成要素１ｂと同じく該連結面と端部面を平行として平面直線用と傾斜して平面湾曲用のものを同様に備えたものとしてある。
【００４１】
このとき本例のパネル構成要素１における各連結支軸２は，これがタッピングホール４を備えたものとしてあり，即ち本例の連結支軸２は，連結面から連結軸受３の肉厚相当分の寸法を幅方向に突出して断面略Ｃ字状をなすものとし，その開口した内側溝をタッピングビス１１のタップ切り螺入用のタッピングホールとしてある。
【００４２】
これら本例のパネル構成要素１は，その前後面をリブ乃至溝によって凹凸面のものとし，また該凹凸面としたものとともに平坦面としたものとしたものを備えたそれぞれ前後に同一幅の中空にしてのアルミ押出型材によるものとしてあり，このとき凹凸面は，各パネル構成要素１が幅方向に同一ピッチをなして平行に配列されるようにパネル構成要素の長手方向に単一乃至複数のコ字状溝を配置したものとして形成してある。
【００４３】
パネル構成要素１は，本例にあって基準用のものを２軸連結のスターターとしてその左右連結面前後の連結支軸２と連結用のものの左右連結面一方前後２箇所の連結軸受３とをその長手方向一端からスライド嵌合してその連結を行うとともに左右連結面他方に位置することになる前後２箇所の連結支軸２と，隣接する連結用のものにおける前後２箇所の連結軸受３とをスライド嵌合し，順次これを繰り返し，最後の連結用のものの前後２箇所の連結支軸２に，本例にあっては端部用のものの連結面の前後２箇所の連結軸受３をスライド嵌合してそれぞれの２軸連結を行ってパネル面を形成するようにすればよく，このとき上記基準用のパネル連結要素１ａを用いたことによってその幅方向左右において連結用及び端部用のパネル連結要素１ｂ，１ｃを反転使用するように配置することによってこれら連結用，端部用のものを該左右で共通化して共用し得るようにしてある。
【００４４】
このように２軸連結したパネル構成要素１は，前後２箇所の連結支軸２と連結軸受３のスライド嵌合によって前後左右方向に一体的に連結固定され，特に耐水平荷重性が必要とされる屋外の自立設置用パネルＡとして充分な強度を確保し得るとともに押出型材のパネル構成要素１を用いたことによって耐荷重性にも優れたものとすることができる。
【００４５】
本例の２軸連結したパネル構成要素１は，該２軸連結状態でその各パネル構成要素１における上記連結支軸２のタッピングホール４に対してパネル構成要素１の長手方向端部に配置した横枠９からタッピングビス１１を螺入して長手方向抜止め措置としてパネルＡとして完成するものとしてあり，このとき上記パネル構成要素１は，これを，幅方向両端で，例えば３本程度とする複数本を，下方に延長して自立設置用の埋込脚８としてある。
【００４６】
横枠９は，例えばパネル構成要素１幅に合わせた幅を有し，連結したパネル構成要素１の合計長さに合せた長さを有する上下又はその一方の枠材，本例にあっては上下の枠材９ａ，９ｂによるものとし，上枠材９ａは，例えば板状の押出形材製のもの，下枠材９ｂは同じく板状やコ字状のものを用いてそれぞれ必要に応じて連結支軸２位置に透孔を透設したものとし，上枠材９ａをパネル構成要素１上端に一連に載置し，下枠材９ｂをパネル構成要素１の下端，本例にあっては埋込脚８を貫通して，幅方向中間位置のパネル構成要素１の下端に突き当て配置し，これら上下枠材からパネル構成要素１における前後２箇所の各連結支軸２のタッピングホール４にタッピングビス１１を螺入して，上記２軸連結した各パネル構成要素１を該横枠９によって一体的に連結固定するものとしてあり，このとき本例の上記上枠材９ａはその前後に段差を付したフィン１０を突設し，該フィン１０を取付ベースとして上枠材９ａを被覆する装飾笠木１２を上端に設置し，また上記下枠材９ｂはその長手方向端部をＬ字ブラケット１３を介して上記内側に対向して隣接しているパネル構成要素１の埋込脚８部分の上端に固定してその下支え固定を行なってある。
【００４７】
このように構成したパネルＡにおける２軸連結したパネル構成要素１の下方に延長して一体成形した上記埋込脚８を地中に埋め込んで，その自立設置を行い，例えば門袖，塀等の外構用のパネルＡとしてこれを使用するものとしてあり，このときパネル構成要素１の２軸連結によって基本的に充分な連結強度を確保し得るから，パネル構成要素１によるパネルＡのデザインの自由度確保とこれによるデザインの多様化を図ることができ，上記平面直線配置の形態，平面湾曲配置の形態の他，左右の連結面を平行とした端部用のパネル構成要素１ｃに傾斜した平面湾曲配置用のパネル構成要素１を２軸連結することにより，また例えば連結用のパネル構成要素１又は連結部材を介設することによりパネル構成要素１を幅方向平面直線及び湾曲に組合せ配置する形態，またこれらを，その使用箇所に応じて，パネル構成要素を，例えば長手方向に直交するように切断して上端を水平とする形態，また長手方向に傾斜切断して上端を傾斜する形態，またそのパネル構成要素の全部又は一部を，幅方向に向けて長さを異長とすることによって幅方向上端を傾斜し又は上端に段差を形成する形態等とすることによってそのデザインを可及的に多様化できる。更に，門袖や塀として使用するときに，パネル構成要素１の全部又は一部を，上下に複数配置しその上下間に形成した空間に，例えば空間周縁を前後で挟着固定する枠を用いることによって，スリット形成枠１４を配置固定してスリット付きの形態とし，内部の部分的透視性による防犯機能を付与し，また，例えば門袖に使用するとき，必要に応じてパネル構成要素１間に，郵便受，インタホン等の，例えば左右両端を連結面として上記パネル構成要素と同様に連結支軸と連結軸受を備えた押出形材製の枠を有するように構成した機能ユニット１５を介設配置して，パネルＡに外部との接触機能を付与する等，デザインの向上や機能付与による使い勝手を向上したものとすることができる。更に本例において用いた装飾笠木１２や上記横枠の下枠材９ｂ，上記スリット形成枠１４のパネルＡの外側露出面をレッド，ブルー，グリーン等各種の色調に着色し，またこれら着色の色調を適宜にコーディネートすることによって更にデザインの多様化を図ることができる。
【００４８】
図中５は，上記基準用のパネル構成要素１ａに連結支軸２を突出配置したことによって水平置きしたときにその変形を防止するように連結支軸２と３点支持し得るように必要に応じて設置した片側連結面の保護条，６は該保護条５の連結支軸２と２軸連結するように隣接する連結用のパネル構成要素１ｂに配置した該保護条５の逃げ溝，７は端部用のパネル構成要素１ｃに形成したタッピングホールを示す。
【００４９】
図示した例は以上のとおりとしたが，本発明の実施に当って，パネル構成要素を基準用，連結用，端部用等に区分することなく，左右連結面の双方に連結支軸と連結軸受を配置することによってその２軸連結を可能とすること，この場合パネルの端部に板状等の目隠しを配置して連結支軸と連結軸受の露出を防止するようにすること，上記パネル構成要素に加えて，例えば左右連結面の一方を隣接するパネル構成要素に合せた平行面，他方を傾斜面とした異角度の面として平面直線と湾曲との接続用のパネル構成要素を追加的に備えたものとすること等を含めて，本発明の実施に当って，自立設置用パネル，パネル構成要素，その左右連結面，連結支軸，連結軸受等の各具体的材質，形状，構造，これらの関係，これらに対する付加，パネル構成要素をシステム商品とするときそのパネル構成要素の種類等は，上記発明の要旨に反しない限り様々の形態のものとすることができる。
【図面の簡単な説明】
【００５０】
【図１】平面直線配置の自立設置用パネルの斜視図である。
【図２】平面湾曲配置の自立設置用パネルの斜視図である。
【図３】上面を水平及び傾斜し部分的にスリット枠を備えた平面直線配置の自立設置用パネルの斜視図である。
【図４】部分的にスリット枠を備えた平面湾曲配置の自立設置用パネルの斜視図である。
【図５】平面直線配置の自立設置用パネルの正面図である。
【図６】平面直線配置の自立設置用パネルの縦断面図である。
【図７】平面直線配置の自立設置用パネルの横断面図である。
【図８】平面直線配置の基準用のパネル構成要素の横断面図である。
【図９】平面直線配置の連結用のパネル構成要素の横断面図である。
【図１０】平面直線配置の他の連結用のパネル構成要素の横断面図である。
【図１１】平面直線配置の更に他の連結用のパネル構成要素の横断面図である。
【図１２】平面直線配置及び平面湾曲配置に共通とした端部用のパネル構成要素の横断面図である。
【図１３】基準用と連結用のパネル構成要素の連結例を示す横断面図である。
【図１４】同じく基準用と連結用のパネル構成要素の連結例を示す横断面図である。
【図１５】平面湾曲配置の自立設置用パネルの正面図である。
【図１６】平面湾曲配置の自立設置用パネルの横断面図である。
【図１７】平面直線配置の基準用のパネル構成要素の横断面図である。
【図１８】平面湾曲配置の連結用のパネル構成要素の横断面図である。
【図１９】平面湾曲配置の他の連結用のパネル構成要素の横断面図である。
【図２０】平面湾曲配置の更に他の連結用のパネル構成要素の横断面図である。
【図２１】上枠材の縦断面図である。
【図２２】下枠材の縦断面図である。
【符号の説明】
【００５１】
Ａ  自立設置用パネル
１  パネル構成要素
１ａ  基準用のパネル構成要素
１ｂ  連結用のパネル構成要素
１ｃ  端部用のパネル構成要素
２  連結支軸
３  連結軸受
４  タッピングホール
８  埋込脚
９  横枠
１４  スリット形成枠
１５  機能ユニット
【図１】
2006063543.tif 000003
【図２】
2006063543.tif 000004
【図３】
2006063543.tif 000005
【図４】
2006063543.tif 000006
【図５】
2006063543.tif 000007
【図６】
2006063543.tif 000008
【図７】
2006063543.tif 000009
【図８】
2006063543.tif 000010
【図９】
2006063543.tif 000011
【図１０】
2006063543.tif 000012
【図１１】
2006063543.tif 000013
【図１２】
2006063543.tif 000014
【図１３】
2006063543.tif 000015
【図１４】
2006063543.tif 000016
【図１５】
2006063543.tif 000017
【図１６】
2006063543.tif 000018
【図１７】
2006063543.tif 000019
【図１８】
2006063543.tif 000020
【図１９】
2006063543.tif 000021
【図２０】
2006063543.tif 000022
【図２１】
2006063543.tif 000023
【図２２】
2006063543.tif 000024